(57)【特許請求の範囲】
【請求項１】
本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなり、前記貯水タンクの内部を貯水部と揚水経路に分割するタンクカバーを設けるとともに、前記インペラを前記揚水経路内に設け、前記揚水経路で揚水された液体を前記容器の側面に一端が接続された給水路に給水してなる電気湯沸かし器。
【請求項２】
貯水タンクに設けられ給水路に前記貯水タンク内の液体を注入する注入口と、前記貯水タンク内に設けられ前記注入口に液体を導く給水受けとを有し、前記貯水タンクの液体は揚水経路により揚水され前記給水受けに導かれるとともに、前記貯水タンクを前記本体に装着すると前記給水路に前記注入口が臨むように構成される請求項１に記載の電気湯沸かし器。
【請求項３】
揚水経路をタンクカバーと前記貯水タンクの内壁とで形成する構成とした請求項１に記載の電気湯沸かし器。
【請求項４】
本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなり、前記本体側面には凸あるいは凹形状、前記貯水タンク側面には凹あるいは凸形状の嵌合形状Ａと、前記給水モータ上方の前記本体と前記インペラ下方の前記貯水タンクには嵌合形状Ｂとを設け、前記嵌合形状Ｂの隙間寸法は前記嵌合形状Ａの隙間寸法より小さくした電気湯沸かし器。
【請求項５】
本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなり、 前記本体と前記貯水タンクの嵌合において、前記本体の前記給水モータ部の外側に設けた外周リブと前記貯水タンクのケーシングとの嵌合完了時に、前記本体の使用状態となる電気湯沸かし器。
【請求項６】
本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなり、前記本体と前記貯水タンクの嵌合において、前記本体の前記給水モータ部外側に設けた外周リブと前記貯水タンクのケーシングとの嵌合が完了時に、前記貯水タンクもしくは前記本体に設けたロック機構が前記本体もしくは前記貯水タンクに働き、前記本体もしくは前記貯水タンクを固定する構成とした電気湯沸かし器。
【請求項７】
本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなり、 前記貯水タンクのタンク下面は、前記ケーシングの前記ケーシング下面より下方に位置し、かつ前記本体の下面と同高さもしくは上方に位置する構成とした電気湯沸かし器。
【請求項８】
本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなり、前記貯水タンクの貯水部底面は前記ケーシング下面に向かう下方向の傾斜を有する構成とした電気湯沸かし器。
【請求項９】
給水モータを本体側面に設け、前記給水モータに対向してインペラを設け、前記給水モータの回転軸と前記インペラの回転軸とが略水平になるように構成した請求項１に記載の電気湯沸かし器。
【請求項１０】
本体と貯水タンクの嵌合において、前記本体の給水モータの軸心と前記貯水タンクのインペラの軸心が一致した際に、本体の使用状態となる構成とした請求項９に記載の電気湯沸かし器。
【請求項１１】
本体側面には凸あるいは凹形状、貯水タンク側面には凹あるいは凸形状の嵌合形状Ａと、給水モータ側面の前記本体とインペラ側面の前記貯水タンクには両者の軸心が一致する嵌合形状Ｂとを設け、嵌合形状Ｂの隙間寸法は嵌合形状Ａの隙間寸法より小さくする構成とした請求項７または８に記載の電気湯沸かし器。
【請求項１２】
給水モータとインペラの軸心が一致した際、貯水タンクもしくは本体に設けられたロック機構が前記本体もしくは前記貯水タンクに働き、前記本体と前記貯水タンクを固定する構成とした請求項９〜１１のいずれか１項に記載の電気湯沸かし器。
【発明の詳細な説明】
【０００１】
【発明の属する技術分野】
本発明は、液体を加熱・保温する容器と着脱式の液体を貯水する貯水タンクを有する電気湯沸かし器の構成に関するものである。
【０００２】
【従来の技術】
従来のこの種の電気湯沸かし器の構成を図１３において説明する。１は電気湯沸かし器の外郭を構成する本体である。２は液体３を貯める容器、２ａは容器２の満水位置でこの位置まで液体３を入れることができる。４は容器２の底面に配設された加熱手段、５は加熱手段等の制御を行う制御部、６は容器２の上方に位置し覆設する蓋体で、蒸気口７を上部に設け、容器２内からの蒸気を外部へと導いている。８は本体１内部の容器２の横に着脱自在に設けた貯水タンク、８ａは貯水タンクの満水位置でこの位置まで液体３を入れることができる。９は貯水タンク８下部に設けられた筒状の給水ケース、１０は貯水タンク８と給水ケース９との間に狭着され、貯水タンク８からの液体の漏れを防止するパッキン、１１は貯水タンク８と給水ケース９を締結する締結手段である。１２は容器２からの液体３を外部へ汲み出すポンプで、導出路１３、導出口１４を通って導出される。１５は水管の周りに設けられた水位センサーでフォトトランジスタ等で容器２内の液体３がどこまで入っているかを検知している。
【０００３】
１６は貯水タンク８の液体３を容器２内へと汲み上げるための給水モータで、本体１に固定され軸の先端には磁石１７が固定されている。１８は給水ケース９の中に収納された磁石式のインペラで、磁石１７と対向した位置に配設されている。給水の動作としては、給水モータ１６が制御部５の制御により、駆動すると磁石１７も同様に回転する。すると、磁石１７と対向した位置に配設された磁石式のインペラ１８は、磁気結合により同様に回転する。
【０００４】
すなわち、給水モータ１６と磁石１７とがインペラ１８の駆動手段に相当し、これらインペラと駆動手段とで給水ポンプを構成している。この時インペラ１８の羽根により貯水タンク８内の液体３は汲み上げられ、揚水路出口１９を通って容器２内へと給水される。給水、また給水の停止を行うタイミングは、水位センサー１５からの情報を制御部５が判断し、給水モータ１６の駆動を制御している。
【０００５】
この電気湯沸かし器の使い勝手としては、容器２内の液体３が少なくなり、貯水タンク８の液体３が、容器２内に給水されて、貯水タンク８の水が少なくなったり、なくなったりした場合に貯水タンク８だけを本体１より取り出し、給水し、再び本体１にセットするということで、重たい本体１を持つことなく、給水できるという効果がある。
【０００６】
【発明が解決しようとする課題】
しかしながら、前記従来の構成では、着脱する貯水タンク８と給水ケース９は別体であるため、パッキン１０を介する必要があるし、また、パッキン１０を介していても締結手段１１による締結の仕方によっては、貯水タンク８と給水ケース９との間から水が漏れたりする。また、磁石１７と磁石式のインペラ１８との軸心が大きくずれると脱調をおこし液体３が汲み上げられなくなるため、軸心を一致させて磁気結合により磁石式のインペラ１８を回転させ液体３を汲み上げる必要があるが、磁石１７と磁石式のインペラ１８の軸心を一致させるための部品数が、本体１、貯水タンク８、給水ケース９と３部品となり、軸心を一致させるための整合が取りにくいし、さらに、部品点数が多いため、組立性が悪く、コストがかかるという問題を有していた。
【０００７】
本発明は、上記従来の課題を解決するもので、貯水タンクから容器への給水を行う給水ポンプの構成において、軸心を一致させるための整合性が取りやすく、脱調が起こりにくい給水性能が実現でき、かつ、部品点数を削減した信頼性の高い電気湯沸かし器を提供することを目的とする。
【０００８】
【課題を解決するための手段】
前記従来の課題を解決するために、本発明は、インペラを収納するケーシングを貯水タンクに一体に設ける構成とした。この構成により、給水モータとインペラの軸心とを一致させるための部品点数が少なくすることができる。
【０００９】
【発明の実施の形態】
請求項１に記載の発明は、本体内に設けられ液体を加熱する容器と、前記容器に供給する液体を貯水する貯水タンクとを備え、前記貯水タンクを前記本体に着脱自在とするとともに、前記貯水タンクの外郭と一体にインペラを収納するケーシングを設け、前記本体に取付けた給水モータに同期して前記インペラを前記貯水タンク内で回転させ前記液体を送水してなることにより、貯水タンクの外郭と一体にインペラを収納するケーシングを設けているので、給水モータとインペラの軸心とを一致させるための部品点数が少なくすることができる。したがって、脱調が起こりにくく、安定した給水性能がえられる。また、貯水タンクからの水漏れがなく、また給水ポンプの脱調もない給水性能に優れた信頼性の高い機器を提供することができる。
【００１０】
さらに、貯水タンクの内部を貯水部と揚水経路に分割するタンクカバーを設けるとともに、インペラを前記揚水経路に設け、前記揚水路で揚水された液体を前記容器の側面に接続された給水路に給水してなることにより、給水路への給水部分を容器の液面（満水位）より上部に位置させれば常に容器内の液面の上方から液体を供給することができ逆流することがない。
【００１１】
また、タンクカバーにより貯水タンクの内部を貯水部と揚水経路に分割する構成であるので、揚水路を簡素な構成とすることができる。また、タンクカバーを着脱できるようにすれば容器内のクリーニングが容易になる。
【００１２】
請求項２に記載の発明は、特に、貯水タンクに設けられ給水路に前記貯水タンク内の液体を注入する注入口と、前記貯水タンク内に設けられ前記注入口に液体を導く給水受けとを有し、前記貯水タンクの液体は揚水経路により揚水され前記給水受けに導かれるとともに、前記貯水タンクを前記本体に装着すると前記給水路に前記注入口が臨むように構成したことにより、給水受けに過度に多くの液体が貯留されると溢水して貯水タンクの貯水部に戻るので、溢水する部分の高さ以上湯沸かし容器内に給水される恐れがなく、湯沸かし容器内の高温の液体が外部に吐出される恐れがない。
【００１３】
請求項３に記載の発明は、特に、揚水経路をタンクカバーと前記貯水タンクの内壁とで形成する構成としたことにより、部品点数を削減でき、組立て工数を低減できるとともに、貯水タンク内の清掃をし易くすることができる。
【００１４】
請求項４に記載の発明は、特に、本体側面には凸あるいは凹形状、貯水タンク側面には凹あるいは凸形状の嵌合形状Ａと、給水モータ上方の前記本体とインペラ下方の前記貯水タンクには嵌合形状Ｂとを設け、前記嵌合形状Ｂの隙間寸法は前記嵌合形状Ａの隙間寸法より小さくしたことにより給水モータとインペラの軸心を合わせやすくできる給水性能に優れ、信頼性をたかめることができる。
【００１５】
請求項５に記載の発明は、特に、本体と貯水タンクの嵌合において、本体の給水モータ部の外側に設けた外周リブと貯水タンクのケーシングとの嵌合完了時に、本体の使用状態となる構成とすることで、給水モータとインペラが優先的に適正な位置でセットされるため、給水ポンプの脱調がなく、給水性能に優れ、信頼性をたかめることができる。
【００１６】
請求項６に記載の発明は、特に、本体と貯水タンクの嵌合において、本体の給水モータ部外側に設けた外周リブと貯水タンクのケーシングとの嵌合が完了時に、前記貯水タンクもしくは前記本体に設けたロック機構が前記本体もしくは前記貯水タンクに働き、前記本体もしくは前記貯水タンクを固定する構成とすることで、給水モータとインペラが優先的に適正な位置でセットされ、かつ機械的に固定されるため、より給水ポンプの脱調がなく、給水性能に優れ、信頼性をたかめることができる。
【００１７】
請求項７に記載の発明は、特に、貯水タンクのタンク下面は、ケーシングのケーシング下面より下方に位置し、かつ本体の下面と同高さもしくは上方に位置する構成とすることで、給水モータとインペラが優先で適正な位置でセットされるため、給水ポンプの脱調がなく、給水性能に優れ、信頼性を高めると共に、本体と貯水タンクの下面のラインが揃ったデザイン性のよいものにすることができる。
【００１８】
請求項８に記載の発明は、特に、貯水タンクの貯水部底面はケーシング下面に向かう下方向の傾斜を有する構成とすることで、貯水タンクの液体を全てケーシング内に入れることがきるため、無駄な液体を貯めることのない清潔で、効率的のよいものにすることができる。
【００１９】
請求項９に記載の発明は、特に、給水モータを本体側面に設け、前記給水モータに対向してインペラを設け、前記給水モータの回転軸と前記インペラの回転軸とが略水平になるように構成とすることで、貯水タンクの下面ギリギリまで、有効貯水部に使用できる効率的で、かつコンパクトにすることができる。
【００２０】
請求項１０に記載の発明は、特に、本体と貯水タンクの嵌合において、前記本体の給水モータの軸心と前記貯水タンクのインペラの軸心が一致した際に、本体の使用状態となる構成とすることで、給水モータとインペラが優先で適正な位置でセットされるため、給水ポンプの脱調がなく、給水性能に優れ、信頼性を高めることができると共に、コンパクトにできる。
【００２１】
請求項１１に記載の発明は、特に、本体側面には凸あるいは凹形状、貯水タンク側面には凹あるいは凸形状の嵌合形状Ａと、給水モータ側面の前記本体とインペラ側面の前記貯水タンクには両者の軸心が一致する嵌合形状Ｂとを設け、嵌合形状Ｂの隙間寸法は嵌合形状Ａの隙間寸法より小さくする構成とすることで、給水モータとインペラの軸心が合わせやすくできるため、給水性能に優れ、信頼性を高めることができると共に、コンパクトにできる。
【００２２】
請求項１２に記載の発明は、特に、給水モータとインペラの軸心が一致した際、貯水タンクもしくは本体に設けられたロック機構が前記本体もしくは前記貯水タンクに働き、前記本体と前記貯水タンクを固定する構成とすることで、給水モータとインペラが優先で適正な位置でセットされ、かつ機械的に固定されるため、より給水ポンプの脱調がなく、給水性能に優れ、信頼性の高いものにすることができる。
【００２３】
【実施例】
以下本発明の実施例について、図面を参照にしながら説明する。
【００２４】
（実施例１）
図１は本発明の第１の実施例における電気湯沸かし器の断面図である。なお、実施例と同じ構成には同じ符号を付している。
【００２５】
図１において、１は電気湯沸かし器の外郭を構成する本体である。２は液体３を貯める容器、２ａは容器２の満水位置でこの位置まで液体３を入れることができる。４は容器２の底面に配設された加熱手段、５は加熱手段等の制御を行う制御部、６は容器２の上方に位置し覆設する蓋体で、蒸気口７を上部に設け、容器２内からの蒸気を外部へと導いている。１２は容器２からの液体３を外部へと汲み出すポンプで、導出路１３、導出口１４を通って液体を外部に導出する。１５は水管の周りに設けた水位センサーでフォトトランジスタ等で容器２内の液体３がどこまで入っているかを検知している。
【００２６】
８は本体１の側面に着脱自在に保持された貯水タンク、８ａは貯水タンクの満水位置でこの位置まで液体３を入れることができる。２０は貯水タンク８の下部に位置し、略Ｕ字状のケーシングで貯水タンク８と一体である。２１は貯水タンク８からの液体３を容器２内に導く給水路、２２は給水路２１から容器２につながる給水口、１６は貯水タンク８の液体３を容器２内へと汲み上げるための給水モータで、本体１に固定され軸の先端には磁石１７を固定している。１８はケーシング２０内に収納された磁石式のインペラで、磁石１７と対向した位置に配設している。給水の動作としては、給水モータ１６が制御部５の制御により、駆動すると磁石１７も同様に回転する。すると、磁石１７と対向した位置に配設された磁石式のインペラ１８は、磁気結合により同様に回転する。すなわち、給水モータ１６と磁石１７とがインペラ１８の駆動手段に相当し、これらインペラと駆動手段とで給水ポンプを構成している。２３はケーシング２０の上で磁石式のインペラ１８を覆設するタンクカバーで、貯水タンク８からの揚水路を貯水タンク８の内壁とともに形成している。
【００２７】
この電気湯沸かし器の使い勝手としては、容器２内の液体３が少なくなり、貯水タンク８の液体３が、容器２内に給水されて、貯水タンク８の水が少なくなったり、なくなったりした場合に貯水タンク８だけを本体１より取り外して給水し、再び本体１にセットするということで、重たい本体１を持つことなく、給水できるという効果がある。
【００２８】
以上のように構成された電気湯沸かし器について、以下その動作作用について説明する。
【００２９】
本体１に貯水タンク８をセットし、貯水タンク８から容器２へ給水する場合を説明する。給水の動作としては、給水モータ１６が制御部５の制御により、駆動すると磁石１７も同様に回転する。すると、磁石１７と対向した位置に配設された磁石式のインペラ１８は磁気結合により同様に回転する。この時、インペラ１８の羽根により貯水タンク８内の液体３はケーシング２０、タンクカバー２３で構成された揚水路２４を通って汲み上げられて、揚水路出口２５を通って給水受け２６上に落とされる。そして、給水路２１、注入口２７を通って、容器２内に給水される。給水、また給水の停止を行うタイミングは、水位センサー１５からの情報を制御部５が判断し、給水モータ１６の駆動を制御している。このとき、磁石１７と磁石式インペラ１８は磁気結合で動作するため、軸心を一致させ、かつ、お互いある一定の距離を保つようにしておかないと、脱調してうまく動作せず、給水ができない。
【００３０】
しかるに、本実施例では、貯水タンク８を本体１に着脱自在とするとともに、貯水タンク８の外郭と一体にインペラ１８を収納するケーシング２０を設け、本体１に取付けた給水モータ１６に同期してインペラ１８を貯水タンク８内で回転させ液体３を送水してなることにより、貯水タンク８とケーシング２０は一体部品であるため、磁石１７と磁石式のインペラ１８の軸心を一致のための整合が貯水タンク８と本体１との２部品だけで行えるので、軸心を合わせやすくできる。また、一体部品であるため、貯水タンク８とケーシング２０との間に隙間がなく液体が漏れることもない。さらに、部品点数を低減することができる。
【００３１】
また、揚水経路２４で揚水された液体３を容器２の側面に一端が接続された給水路２１に給水してなる構成としているので、給水路２１への給水部分を容器２の液面（満水位）より上部に位置させれば常に容器２内の液面より高い位置から液体を供給することができ逆流することがない。
【００３２】
また、貯水タンク８の内部を貯水部（液体３の貯水される部分）と揚水経路２４に分割するタンクカバー２３を設けるとともに、インペラ１８を揚水経路２４内に設けて、タンクカバー２３を着脱方式にしておけば、タンクカバー２３及び磁石式のインペラ１８を外して、貯水タンク８内を洗うこともできる。
【００３３】
また、貯水タンク８に設けられ給水路２１に貯水タンク８内の液体３を注入する注入口２７と、貯水タンク８内に設けられ注入口２７に液体３を導く給水受け２６とを有し、貯水タンク８の液体３は揚水経路２４により揚水され給水受け２６に導かれるとともに、貯水タンク８を本体１に装着すると給水路２１に注入口２７が臨むように構成されることにより、給水受けに過度に多くの液体が貯留されると溢水して貯水タンクの貯水部に戻るので、溢水する部分の高さ以上湯沸かし容器内に給水される恐れがなく、湯沸かし容器内の高温の液体が外部に吐出される恐れがない。
【００３４】
よって、水漏れ及び脱調のない信頼性の高い機器、部品点数の少ない機器、清掃性に優れた機器を提供できる。
【００３５】
なお、本実施例では、磁気結合によるカップリングでインペラを回転させる方式で具体的に説明したが、それ以外の方式、例えば給水モータからの軸を直接インペラにギア等でかみ合わせることで、軸の出口にはパッキン等でシールを行う必要はあるが、給水モータとインペラを同期させるとか、機械的に両者をつなげることで、インペラを回転させても同様の効果が得られる。
【００３６】
（実施例２）
図２は本発明の第２の実施例における電気湯沸かし器の断面図であり、図３は同電気湯沸かし器の要部平面図を示す。なお、本実施例の基本構成は実施例１と同じなので異なる点を中心に説明する。また、実施例１と同じ機能には同じ符号を付しその説明は省略する。
【００３７】
図２および図３において、２８は本体１の貯水タンク８側の側面に設けた凸形状、２９は貯水タンク８の本体１側の側面に設けられた凹形状で、両者はある隙間Ａをもって嵌合している。これを嵌合形状Ａ３０と記す。３１は本体１の磁石１７上に設けた外周リブで、ケーシング２０とある隙間Ｂをもって嵌合している。これを嵌合形状Ｂ３２と記す。
【００３８】
以下、本実施例の動作、作用を説明する。
【００３９】
貯水タンク８を外した状態から本体１にセットするばあいについて述べる。貯水タンク８を本体１の凸形状２８に凹形状２９を入れるように上から落とし込んでいく。その際、凸形状２８と凹形状２９は嵌合しているため、そのままの関係を保ったまま下方へセットされていく。
【００４０】
そして、最終セット位置へ向かい、磁石１７と磁石式のインペラ１８が近づいてくると、両者の近傍に存在する外周リブ３１とケーシング２０が嵌合されてセットが完了する。ところが、嵌合寸法Ｂは嵌合寸法Ａよりも小さいため、磁石１７と磁石式のインペラ１８との関係が、両者の嵌合の中では一番正確となり、両者の軸心及び距離関係を揃えることができる。
【００４１】
また、これらの関係から、大雑把な嵌合からきっちりした嵌合へとセットできるので、セットの操作性も向上することができる。
【００４２】
よって、より磁石と磁石式インペラの軸心を整合しやすくして、脱調の起こらない給水性能に優れた信頼性の高いものにすることができる。
【００４３】
実施例２では、凸形状２８を給水受け２６の位置に設けているが、本体１の側面前方と後方に設けて挟み込んでも、嵌合できれば、位置、形状にはこだわらず同様の効果が得られる。また、前記に限定されずに、本体１の凸形状は凹形状でも、また貯水タンク８の凹形状は凸形状で構成させても嵌合できればよい。
【００４４】
（実施例３）
図４は本発明の第３の実施例における電気湯沸かし器の断面図である。なお、本実施例の基本構成は実施例１と同じなので異なる点を中心に説明する。また、実施例１と同じ機能には同じ符号を付しその説明は省略する。
【００４５】
図４において、３３は貯水タンク８の最下面であるタンク下面であり、本体１にセット完了時、タンク下面３３は本体１の下面より高い、例えば２ｍｍ高い位置にある。
【００４６】
以下、本実施例の動作、作用を説明する。
【００４７】
貯水タンク８を外した状態からセットする場合について述べる。貯水タンク８は、本体１の凸形状２８に凹形状２９を入れるように、上から落とし込んでいく。その際、凸形状２８と凹形状２９とは嵌合しているため、そのままの関係を保ったまま下方へセットされていく。
【００４８】
そして、最終セット位置へ向かい、磁石１７と磁石式のインペラ１８が近づいてくると、両者の近傍に存在する外周リブ３０とケーシング２０とが嵌合し、セットが完了する。
【００４９】
ところが、嵌合寸法Ｂは嵌合寸法Ａよりも小さいため、磁石１７と磁石式のインペラ１８との関係が、両者の嵌合の中では一番正確となり、両者の軸心及び距離関係を揃えることができる。そして、同時に本体は使用状態、すなわち、湯を出したり、貯水タンクから容器への給水をしたりすることができる状態になる。その上、タンク下面３３は本体１の下面より、２ｍｍ高い位置にあるため（Ｃ＞０）、貯水タンク８をセットする時に、タンク下面３３が床につかえて、磁石１７と磁石式インペラ１８との関係が浮いた状態でセットされることはない。
【００５０】
よって、磁石と磁石式インペラが優先で適正な位置でセットされるため、給水ポンプの脱調がなく、給水性能に優れた信頼性の高い機器を提供できる。
【００５１】
実施例３では、タンク下面と本体下面の距離を２ｍｍとしたが、タンク下面の方が本体の下面より高ければよい。実用的には０から５ｍｍぐらいが適正と考えられる。
【００５２】
（実施例４）
図５は本発明の第４の実施例における電気湯沸かし器の断面図である。なお、本実施例の基本構成は実施例１と同じなので異なる点を中心に説明する。また、実施例１と同じ機能には同じ符号を付しその説明は省略する。
【００５３】
図５において、３４は本体１と貯水タンク８のロック機構を構成するロック支持体、３５はロック支持体３４を摺動させるばねで、貯水タンク８側面に配設された摺動部３６内にロック支持体３５とともに収容している。３７は本体１側面に設けた位置決め部で、セット時にロック支持体３４を挿入する。
【００５４】
以下、本実施例の動作、作用を説明する。
【００５５】
貯水タンク８を外した状態から本体１にセットする場合を説明する。貯水タンク８は、本体１の凸形状２８に凹形状２９を入れるように、上から落とし込んでいく。その際、凸形状２８と凹形状２９は嵌合しているため、そのままの関係を保ったまま下方へセットされていく。
【００５６】
そして、最終セット位置へ向かい、磁石１７と磁石式インペラ１８が近づいてくると、両者の近傍に存在する外周リブ３１とケーシング２０が嵌合してセットが完了する。ほぼそれと同時に、今まで本体１の側面に当てられ摺動部３６内に収められていたロック支持体３４は、本体１の位置決め部３７のところで開口部が生じるため、ばね３５に押されて、位置決め部３７内に先端部が収められる。これで、本体１と貯水タンク８はロック機構により、確実に固定され、磁石１７と磁石式インペラ１８との位置関係は、適切な位置で保持される。
【００５７】
また、貯水タンク８を着脱する際は、ロック支持体３４を貯水タンク８側に引きながら、貯水タンク８を上げていくことで、外すことが容易にできる。
【００５８】
よって、磁石と磁石式インペラが優先で適正な位置でセットされ、かつ確実に機械的に固定されるため、より給水ポンプの脱調がなく、給水性能に優れた信頼性の高い機器を提供できる。
【００５９】
また、ロック機構で本体と貯水タンクを固定できるので、貯水タンクに手がちょっと当たったりとかしても、磁石と磁石式インペラのズレは起こらず、普通に給水を行うことができる。
【００６０】
実施例４では、前述のようなロック機構を示したが、この方式にとらわれず、両者を磁石の吸引力を利用して固定するというような他の方式でも同様の効果が得られる。
【００６１】
また、実施例４の具体的な説明では、貯水タンク側にロック機構を設けた例で説明しているが、これに限定されるものでなく本体側に設けても同様の効果が得られる。
【００６２】
（実施例５）
図６は本発明の第５の実施例における電気湯沸かし器の断面図である。なお、本実施例の基本構成は実施例１と同じなので異なる点を中心に説明する。また、実施例１と同じ機能には同じ符号を付しその説明は省略する。
【００６３】
図６において、３８はケーシング２０のケーシング下面、３３は貯水タンク８のタンク下面である。位置関係は、タンク下面３３はケーシング下面３８より下方に位置し、かつ本体１の下面と同高さあるいは数ｍｍ上に位置している。
【００６４】
以下、本実施例における動作、作用を説明する。
【００６５】
本体１に貯水タンク８をセットする場合を説明する。本体１と貯水タンク８は従来例の図１３のように、本体１の中に貯水タンク８を入れて、外観は本体１しか見えないのではなく、本体１の側面に嵌合させる。つまり両者並んで両方とも見える状態でセットする。
【００６６】
ところが、本実施例の構成は、ケーシング下面３８よりタンク下面３３が下に位置しているため、外観上本体１の下面のラインに揃えることができるため、デザイン的に美しくすることができる。また、ケーシング下面３８とタンク下面３３には空間が設けられるため、本体１を潜り込ませたりして、有効的に部品を配置することもできる。
【００６７】
よって、磁石と磁石式インペラが優先で適正な位置でセットされるため、給水ポンプの脱調がなく、給水性能に優れた信頼性の高い機器を提供し、また本体と貯水タンクの下面のラインが揃ったデザイン性のよい機器を提供できる。
【００６８】
（実施例６）
図７は本発明の第６の実施例における電気湯沸かし器の断面図である。なお、本実施例の基本構成は実施例１と同じなので異なる点を中心に説明する。また、実施例１と同じ機能には同じ符号を付しその説明は省略する。
【００６９】
図７において、３９は貯水タンクの貯水部底面で、ケーシング２０に向かって、下方向の傾斜を設けている。
【００７０】
以下、本実施例における動作、作用を説明する。
【００７１】
本体１に貯水タンク８をセットし、液体３が容器２内に給水されていく場合についてのべる。液体３は、磁石式のインペラ１８の動作により、ケーシング２０、タンクカバー２３を経由して、容器２内へと給水されていく。そして、貯水タンク８内の液体３がなくなりかけてきたとき、貯水部底面３９はケーシング２０に向かって傾斜があるため、重力にしたがい液体３は全て、ケーシング２０内に流れていく。つまり、全ての液体３が容器２内へと給水されることになる。
【００７２】
よって、貯水タンクの液体をほとんど全て容器側に汲み上げることができるので、無駄な液体を貯水タンクに残すこともなく清潔で、効率的である。
【００７３】
（実施例７）
図８は本発明の第７の実施例における電気湯沸かし器の断面図である。なお、本実施例の基本構成は実施例１と同じなので異なる点を中心に説明する。また、実施例１と同じ機能には同じ符号を付しその説明は省略する。
【００７４】
図８において、給水モータ１６および磁石１７を本体の側面に設け、それに対向して磁石式のインペラ１８を貯水タンク８の側面に設けたことを特徴としている。この構成では軸心は略水平方向になる。
【００７５】
以下、本実施例における動作、作用を説明する。
【００７６】
本実施例では、給水モータ１６および磁石１７の軸心が略水平方向に固定されているため、磁石式のインペラ１８を貯水タンク８の最下部にまで配置することができる。そのため、磁石式インペラ１８は水平方向を軸に回転し、液体３をケーシング２０、タンクカバー２３を通り、容器２内へと給水する。ところが、本実施例の構成では、タンク下面３３とケーシング２０の下面との位置関係をほぼ同じとすることができるので、貯水タンクの体積に対する液体を実際に入れられる体積、すなわち、貯水タンク８の貯水量を大幅に増やす事ができる。あるいは、容量が同じならば、貯水タンク８の大きさをコンパクトにできる。
【００７７】
よって、貯水タンクの下面ギリギリまで、有効貯水部に使用できるので、貯水タンクの容量の増大または形状をコンパクトにできる。
【００７８】
また、給水モータを実施例１のように貯水タンクの下に潜り込ませて、略水平方向に固定してもいいし、また奥行方向の向きで略水平方向に支持させても同様の効果が得られる。
【００７９】
そして、インペラの横にあるタンクカバーの孔から下方向にラッパ状の筒を設ければ、さらに貯水タンク内の残水量を減らすことができる。
【００８０】
また、図９に示すように、貯水タンク８を本体１にセットした時、タンク下面３３を本体１の下面より若干高い位置Ｄになるようにする。これにより、タンク下面３３が床につかえて、磁石１７と磁石式インペラ１８との軸心が不一致になるのを防ぐことができる。
【００８１】
よって、磁石と磁石式インペラが優先して適正な位置にセットできるため、給水ポンプの脱調がなく、給水性能に優れたものにすることができる。
【００８２】
なお、タンク下面と本体下面との高さＤの差は、タンク下面の方が本体の下面より高ければよく、実用的には０から５ｍｍぐらいが適正である。
【００８３】
（実施例８）
図１０は本発明の第８の実施例における電気湯沸かし器の断面図であり、図１１は同電気湯沸かし器の要部平面図である。なお、本実施例の基本構成は実施例１と同じなので異なる点を中心に説明する。また、実施例１と同じ機能には同じ符号を付しその説明は省略する。
【００８４】
図１０および図１１において、本体１の貯水タンク８側の側面に設けられた凸形状２８と貯水タンク８の本体１側の側面に設けられた凹形状２９とは、ある隙間Ａをもって嵌合している嵌合形状Ａ３０の状態にある。また、本体１の磁石１７上に設けられた外周リブ３１とケーシング２０の嵌合部４０とはある隙間Ｂをもって嵌合している嵌合形状Ｂ３２の状態にある。
【００８５】
以下、本実施例における動作、作用を説明する。
【００８６】
貯水タンク８を本体１から外した状態からセットする場合、貯水タンク８の凹形状２９を本体１の凸形状２８に入れるように上から落とし込んでいく。そのとき、凸形状２８と凹形状２９は嵌合しているため、そのままの関係を保ったまま下方へセットされていく。そして、最終セット位置へ向かい、磁石１７と磁石式インペラ１８が近づいてくると、両者の近傍に存在する外周リブ３１とケーシング２０の嵌合部４０とが嵌合されてセットは完了する。
【００８７】
ところが、嵌合形状Ｂ３２の嵌合寸法Ｆは嵌合形状Ａ３０の嵌合寸法Ｅよりも小さいため、磁石１７と磁石式のインペラ１８との関係が、両者の嵌合の中では一番正確となり、両者の軸心及び距離関係を揃えることができる。また、これらの関係から、大雑把な嵌合からきっちりした嵌合へとセットできるので、セット性が向上する。
【００８８】
よって、より磁石と磁石式インペラの軸心を合わせやすくして、脱調の起こらない給水性能に優れた信頼性の高い機器を提供できる。
【００８９】
なお、本実施例では、凸形状を給水受けの位置に持ってきているが、これに限定されるものではなく、嵌合できれば、位置、形状にはこだわるものではなく、例えば、本体１の側面前方と後方に設け、挟み込むようにしても同様の効果が得られる。
【００９０】
（実施例９）
図１２は本発明の第９の実施例における電気湯沸かし器の断面図である。なお、本実施例の基本構成は実施例１と同じなので異なる点を中心に説明する。また実施例１と同じ機能には同じ符号を付しその説明は省略する。
【００９１】
図１２において、は本体１と貯水タンク８のロック機構を構成するロック支持体３４とロック支持体３２を摺動させるばね３５とを、貯水タンク８側面に配設した摺動部３６内に収納している。そして、セット時は本体１側面に設けられた位置決め部３７にロック支持体３４を挿入している。
【００９２】
以下、本実施例における動作、作用を説明する。
【００９３】
貯水タンク８を本体１から外した状態からセットする場合、貯水タンク８を本体１の凸形状２８に凹形状２９を入れるようにして上から落とし込んでいく。そのとき、凸形状２８と凹形状２９は嵌合しているため、そのままの関係を保ったまま下方へセットされていく。
【００９４】
そして、最終セット位置へ向かい、磁石１７と磁石式のインペラ１８とが近づいてくると、両者の近傍に存在する外周リブ３１とケーシングの嵌合部４０とが嵌合してセットを完了する。ほぼそれと同時に、今まで本体１の側面に当てられ摺動部３６内に収められていたロック支持体３４は、本体１の位置決め部３７のところで開口部が生じるため、ばね３３に押されて、位置決め部３７内に先端部が収められる。これで、本体１と貯水タンク８はロック機構により確実に固定され、磁石１７と磁石式のインペラ１８との位置関係は、適切な位置で保持される。また、貯水タンク８を着脱する際は、ロック支持体３４を貯水タンク８側に引きながら、貯水タンク８を上げていくことで、外すことが容易にできる。
【００９５】
よって、磁石と磁石式のインペラとが優先的に適正な位置でセットされ、かつ確実に機械的に固定されるため、より給水ポンプの脱調がなく、給水性能に優れたものにすることができる。
【００９６】
また、ロック機構で本体と貯水タンクを固定できるので、貯水タンクに手がちょっと当たったりとかしても、磁石と磁石式インペラのズレは起こらず、普通に給水を行うことができる。
【００９７】
なお、本実施例では、前述のようなロック機構を示したが、この方式にとらわれず、両者を磁石の吸引力を利用して固定するというような他の方式でも同様の効果が得られる。
【００９８】
【発明の効果】
以上のように、本発明によれば、貯水タンクから容器への給水を行う給水ポンプの構成において、軸心を一致させるための整合性が取りやすく、脱調が起こりにくい優秀な給水性能が実現でき、かつ、部品点数を削減した信頼性の高いものにすることができる。
【図面の簡単な説明】
【図１】  本発明の実施例１における電気湯沸かし器の断面図
【図２】  本発明の実施例２における電気湯沸かし器の断面図
【図３】  同電気湯沸かし器の要部平面図
【図４】  本発明の実施例３における電気湯沸かし器の断面図
【図５】  本発明の実施例４における電気湯沸かし器の断面図
【図６】  本発明の実施例５における電気湯沸かし器の断面図
【図７】  本発明の実施例６における電気湯沸かし器の断面図
【図８】  本発明の実施例７における電気湯沸かし器の断面図
【図９】  同電気湯沸かし器の断面図
【図１０】  本発明の実施例８における電気湯沸かし器の断面図
【図１１】  同電気湯沸かし器の要部平面図
【図１２】  本発明の実施例９における電気湯沸かし器の断面図
【図１３】  従来の電気湯沸かし器の断面図
【符号の説明】
１  本体
２  容器
３  液体
８  貯水タンク
１６  給水モータ
１８  インペラ
２０  ケーシング
２１  吸水路
２３  タンクカバー
２４  揚水経路
２８  凸形状
２９  凹形状
３０  嵌合形状Ａ
３１  外周リブ
３２  嵌合形状Ｂ
３３  タンク下面
３４  ロック支持体（ロック機構）
３５  ばね（ロック機構）
３８  ケーシング下面
３９  貯水部底面
【図１】
0003636164.tif 000002
【図２】
0003636164.tif 000003
【図３】
0003636164.tif 000004
【図４】
0003636164.tif 000005
【図５】
0003636164.tif 000006
【図６】
0003636164.tif 000007
【図７】
0003636164.tif 000008
【図８】
0003636164.tif 000009
【図９】
0003636164.tif 000010
【図１０】
0003636164.tif 000011
【図１１】
0003636164.tif 000012
【図１２】
0003636164.tif 000013
【図１３】
0003636164.tif 000014